(57)【特許請求の範囲】
【請求項１】
画像形成装置本体の上部に画像読取装置を搭載して、前記画像形成装置本体と画像読取装置とで形成される胴体の内部に設けられた記録媒体積載部に、画像が形成された記録媒体を記録媒体排出部から排出して積載するように構成した画像形成装置において、
前記記録媒体排出部から排出される記録媒体から放出される空気を吸引し、当該吸引された空気をフィルターを通して排気する吸引排気手段を、前記記録媒体排出部から見て前記記録媒体排出部から排出される記録媒体の排出方向に沿った下流側に設けたことを特徴とする画像形成装置。
【請求項２】
前記記録媒体積載部の記録媒体排出部側の側面と、奥側の側面と、記録媒体排出方向の下流側の側面とに、空気の流通を遮断する遮断壁を設けたことを特徴とする請求項１に記載の画像形成装置。
【請求項３】
前記フィルターは、脱臭能力と、揮発性有機化合物の吸着または分解能力と、オゾンの吸着または分解能力のうち、少なくとも２つの能力を兼ね備えていることを特徴とする請求項１に記載の画像形成装置。
【請求項４】
前記フィルターは、脱臭のためのフィルターと、揮発性有機化合物の吸着または分解のためのフィルターと、オゾンの吸着または分解能力ののためのフィルターのうち、少なくとも２つのフィルターから構成されていることを特徴とする請求項１に記載の画像形成装置。
【請求項５】
前記吸引排気手段を画像形成動作が終了した後も一定時間だけ駆動するように構成したことを特徴とする請求項１に記載の画像形成装置。
【発明の詳細な説明】
【技術分野】
【０００１】
この発明は、電子写真方式を採用した複写機やプリンタ、あるいはファクシミリ、更にはこれらの機能を兼ね備えた複合機等の画像形成装置に関し、特に、用紙等の記録媒体を排出する排出部から装置の外部に排気される異臭やＶＯＣを低減することが可能な画像形成装置に関するものである。
【背景技術】
【０００２】
【特許文献１】特開２００４−２４０２７０号公報
【特許文献２】特開２００５−１２６１９１号公報
【０００３】
従来、この種の電子写真方式を採用した複写機やプリンタ、あるいはファクシミリ、更にはこれらの機能を兼ね備えた複合機等の画像形成装置では、感光体ドラム上に画像情報に応じた静電潜像を形成し、当該感光体ドラム上に形成された静電潜像をトナーによって顕像化することによりトナー像とし、このトナー像を用紙上に転写した後、定着装置によって熱及び圧力で未定着トナー像を用紙上に定着することにより、画像を形成するように構成されている。
【０００４】
ところで、最近、上記画像形成装置では、トナーを定着装置により加熱溶融し、用紙上に定着する際に発生する物質によって異臭が放出され、当該異臭が機外に排出されて、ユーザーに不快感を与えることが問題となってきている。
【０００５】
また、上記画像形成装置では、トナーを定着装置により加熱溶融して、用紙上に定着する際に、揮発性の有機化合物であるＶＯＣ（Volitile  Organic   Compound）が発生し、装置が設置されている環境に対して悪影響を与えることも問題となってきている。
【０００６】
そこで、かかる問題点を解決し得る技術としては、例えば、特開２００４−２４０２７０号公報等に開示されているものが既に提案されている。
【０００７】
この特開２００４−２４０２７０号公報に係る画像形成装置は、装置内で発生する揮発性有機化合物を含む空気を、ガス除去手段を介して装置外部に排出する構成の画像形成装置において、前記ガス除去手段は、排気ファンと、当該排気ファンの下流位置に近接して設けた、粉末活性炭入り、かつ、複数の管状排風路を有する構造のフィルタとを含むように構成したものである。
【０００８】
しかしながら、上記特開２００４−２４０２７０号公報に係る画像形成装置の場合には、装置内で発生する揮発性有機化合物を含む空気を、ガス除去手段によって一部を除去することが可能であるものの、臭気は用紙と共に装置の外部に排出されてしまうため、異臭が用紙によって装置外に排出されるのを、効果的に防止することができないという問題点を有していた。
【０００９】
また、上記特開２００４−２４０２７０号公報に係る画像形成装置の場合には、用紙上に定着された直後のトナーや稀れに付着するキャリアから発生する臭気や揮発性有機化合物を除去することができず、装置の外部に排出された用紙から臭気や揮発性有機化合物が放出されるのを回避することができないという問題点を有していた。
【００１０】
そこで、かかる問題点を解決し得る技術としては、特開２００５−１２６１９１号公報等に開示されたものが既に提案されている。
【００１１】
この特開２００５−１２６１９１号公報に係る画像形成装置は、シートに画像を形成する画像形成装置において、排出部に排出されたシート近傍領域のエアーを装置本体内に吸引する吸気手段を有するように構成したものであり、前記吸気手段としては、例えば、所定の化学物質を分解し得るフィルタを介してエアーを装置本体内に吸引するように構成したものが用いられる。
【発明の開示】
【発明が解決しようとする課題】
【００１２】
しかしながら、上記従来技術の場合には、次のような問題点を有している。すなわち、上記特開２００５−１２６１９１号公報に係る画像形成装置の場合には、シートに画像を形成する画像形成装置において、排出部に排出されたシート近傍領域のエアーを装置本体内に吸引する吸気手段を有するように構成したものであり、装置本体に吸気手段を構成する吸気ファンやダクト、あるいはフィルターを設置するスペースを設ける必要がある。
【００１３】
しかし、通常、上記画像形成装置の装置本体には、その排紙部の上方に相当する部分に、定着装置や用紙搬送経路、あるいは用紙搬送経路を切り替えるゲート部材などが配設されているため、大きなスペースを採ることが困難であり、吸気ファンやフィルターなどを効率良く設置することができず、臭気や揮発性有機化合物の除去効果を十分得ることができないという問題点を有していた。
【００１４】
特に、上記画像形成装置においては、用紙の両面に画像を形成可能とするため、片面に画像が形成された用紙の表裏を反転する用紙反転経路を追加した場合には、吸気ファンやフィルターなどを設置するスペースが更に狭くなり、臭気や揮発性有機化合物の除去効果を十分得ることができないという問題点を有していた。
【００１５】
さらに、上記特開２００５−１２６１９１号公報に係る画像形成装置の場合には、吸気手段によって、排出部に排出されたシート近傍領域のエアーを吸引することができるものの、排出部から離れた個所、特にＡ３サイズ等の大きいサイズの用紙を使用した時において、排出部から離れたシート上のトナーそのものから放出される臭気や揮発性有機化合物を含むエアーを、十分吸引することができないという問題点をも有していた。
【００１６】
そこで、この発明は、上記従来技術の問題点を解決するためになされたものであり、その目的とするところは、装置の排出部近傍に十分なスペースが確保することが困難な場合であっても、装置の外部に用紙と共に放出される臭気や揮発性有機化合物等を、用紙排出部から離れた個所であっても効果的に除去することが可能な画像形成装置を提供することにある。
【課題を解決するための手段】
【００１７】
上記の課題を解決するため、請求項１に記載された発明は、画像形成装置本体の上部に画像読取装置を搭載して、前記画像形成装置本体と画像読取装置とで形成される胴体の内部に設けられた記録媒体積載部に、画像が形成された記録媒体を記録媒体排出部から排出して積載するように構成した画像形成装置において、
前記記録媒体排出部から排出される記録媒体から放出される空気を吸引し、当該吸引された空気をフィルターを通して排気する吸引排気手段を、前記記録媒体排出部から見て前記記録媒体排出部から排出される記録媒体の排出方向に沿った下流側に設けたことを特徴とする画像形成装置である。
【００１８】
また、請求項２に記載された発明は、前記記録媒体積載部の記録媒体排出部側の側面と、奥側の側面と、記録媒体排出方向の下流側の側面とに、空気の流通を遮断する遮断壁を設けたことを特徴とする請求項１に記載の画像形成装置である。
【００１９】
さらに、請求項３に記載された発明は、前記フィルターは、脱臭能力と、揮発性有機化合物の吸着または分解能力と、オゾンの吸着または分解能力のうち、少なくとも２つの能力を兼ね備えていることを特徴とする請求項１に記載の画像形成装置である。
【００２０】
又、請求項４に記載された発明は、前記フィルターは、脱臭のためのフィルターと、揮発性有機化合物の吸着または分解のためのフィルターと、オゾンの吸着または分解能力ののためのフィルターのうち、少なくとも２つのフィルターから構成されていることを特徴とする請求項１に記載の画像形成装置である。
【００２１】
更に、請求項５に記載された発明は、前記吸引排気手段を画像形成動作が終了した後も一定時間だけ駆動するように構成したことを特徴とする請求項１に記載の画像形成装置である。
【発明の効果】
【００２２】
この発明によれば、装置の排出部近傍に十分なスペースが確保することが困難な場合であっても、装置の外部に用紙と共に放出される臭気や揮発性有機化合物等を、用紙排出部から離れた個所であっても効果的に除去することが可能な画像形成装置を提供することができる。
【発明を実施するための最良の形態】
【００２３】
以下に、この発明の実施の形態について図面を参照して説明する。
【００２４】
実施の形態１
図２はこの発明の実施の形態１に係る画像形成装置としてのカラー複合機を示す構成図である。なお、このカラー複合機は、複写機やプリンタ、あるいはファクシミリとしての機能を兼ね備えている。
【００２５】
このカラー複合機は、図２に示すように、その上部に画像読取装置としてのスキャナユニット３を備えているとともに、図示しないネットワークを介して図示しないパーソナルコンピュータ等を接続されている。
【００２６】
そして、上記カラー複合機は、スキャナユニット３で読み取った文書の画像を複写したり、パーソナルコンピュータから送られてきた画像データに基づいてプリントしたり、電話回線を介して画像データを送受信するファックスとして機能するようになっている。
【００２７】
図２において、１はカラー複合機の本体を示すものであり、このカラー複合機本体１の上部には、図示しない原稿を一枚ずつ分離した状態で自動的に搬送する自動原稿搬送装置（ＡＤＦ）２と、当該自動原稿搬送装置２によって搬送される原稿の画像を読み取るスキャナユニット３が配設されている。上記スキャナユニット３は、プラテンガラス４上に載置された原稿を光源５によって照明し、原稿からの反射光像を、フルレートミラー６及びハーフレートミラー７、８及び結像レンズ９からなる縮小光学系１１を介してＣＣＤ等からなる画像読取素子１０上に走査露光して、この画像読取素子１０によって原稿の色材反射光像を所定のドット密度（例えば、１６ドット／ｍｍ）で読み取るようになっている。
【００２８】
上記スキャナユニット３によって読み取られた原稿の反射光像は、例えば、赤（Ｒ）、緑（Ｇ）、青（Ｂ）（各８ｂｉｔ）の３色の反射率データとして図示しない画像処理装置（ＩＰＳ）に送られ、この画像処理装置では、原稿の画像データに対して、必要に応じて、シェーデイング補正、位置ズレ補正、明度／色空間変換、ガンマ補正、枠消し、色／移動編集等の処理を含め、後述するように所定の画像処理が施される。また、この画像処理装置は、図示しないパーソナルコンピュータ等から送られてくる画像データに対しても、所定の画像処理を行なうようになっている。
【００２９】
そして、上記画像処理装置で所定の画像処理が施された画像データは、同じく画像処理装置によって、イエロー（Ｙ）、マジェンタ（Ｍ）、シアン（Ｃ）、ブラック  （Ｋ）  （各８ビット）の４色の階調データに変換され、次に述べるように、イエロー（Ｙ）、マジェンタ（Ｍ）、シアン（Ｃ）、ブラック（Ｋ）の各色の画像形成ユニット１３Ｙ、１３Ｍ、１３Ｃ、１３Ｋに共通するＲＯＳ（ＲａｓｅｒＯｕｔｐｕｔＳｃａｎｎｅｒ）１４に送られ、この画像露光装置としてのＲＯＳ１４では、所定の色の階調データに応じてレーザ光ＬＢによる画像露光が行われる。なお、カラー画像に限らず、白黒の画像のみを形成しても勿論良い。
【００３０】
ところで、上記カラー複合機本体１の内部には、図２に示すように、画像形成手段Ａが配設されており、この画像形成手段Ａには、イエロー（Ｙ）、マジェンタ（Ｍ）、シアン（Ｃ）、ブラック（Ｋ）の４つの画像形成ユニット１３Ｙ、１３Ｍ、１３Ｃ、１３Ｋが、水平方向に一定の間隔をおいて並列的に配置されている。
【００３１】
これらの４つの画像形成ユニット１３Ｙ、１３Ｍ、１３Ｃ、１３Ｋは、すべて同様に構成されており、大別して、所定の速度で回転駆動される像担持体としての感光体ドラム１５と、この感光体ドラム１５の表面を一様に帯電する一次帯電用の帯電ロール１６と、当該感光体ドラム１５の表面に所定の色に対応した画像を露光して静電潜像を形成する画像露光装置としてのＲＯＳ１４と、感光体ドラム１５上に形成された静電潜像を所定の色のトナーで現像する現像器１７と、感光体ドラム１５の表面を清掃するクリーニング装置１８とから構成されている。これらの感光体ドラム１５と周辺に配置される画像形成部材は、一体的にユニット化されており、カラ―複合機本体１から個別に交換可能に構成されている。
【００３２】
上記ＲＯＳ１４は、図２に示すように、４つの画像形成ユニット１３Ｙ、１３Ｍ、１３Ｃ、１３Ｋに共通に構成されており、図示しない４つの半導体レーザを各色の階調データに応じて変調して、これらの半導体レーザからレーザ光ＬＢ−Ｙ、ＬＢ−Ｍ、ＬＢ−Ｃ、ＬＢ−Ｋを階調データに応じて出射するように構成されている。なお、上記ＲＯＳ１４は、複数の画像形成ユニット毎に個別に構成しても勿論よい。上記半導体レーザから出射されたレーザ光ＬＢ−Ｙ、ＬＢ−Ｍ、ＬＢ−Ｃ、ＬＢ−Ｋは、図示しないｆ−θレンズを介してポリゴンミラー１９に照射され、このポリゴンミラー１９によって偏向走査される。上記ポリゴンミラー１９によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１５上の露光ポイントに、斜め下方から走査露光される。
【００３３】
上記ＲＯＳ１４は、図２に示すように、下方から感光体ドラム１５上に画像を走査露光するものであるため、このＲＯＳ１４には、上方に位置する４つの画像形成ユニット１３Ｙ、１３Ｍ、１３Ｃ、１３Ｋの現像器１７などからトナー等が落下して、汚損される虞れを有している。そのため、ＲＯＳ１４は、その周囲が直方体状のフレーム２０によって密閉されているとともに、当該フレーム２０の上部には、４本のレーザ光ＬＢ−Ｙ、ＬＢ−Ｍ、ＬＢ−Ｃ、ＬＢ−Ｋを、各画像形成ユニット１３Ｙ、１３Ｍ、１３Ｃ、１３Ｋの感光体ドラム１５上に露光するため、シールド部材としての透明なガラス製のウインドウ２１Ｙ、２１Ｍ、２１Ｃ、２１Ｋ（図３参照）が設けられている。
【００３４】
上記画像処理装置からは、イエロー（Ｙ）、マジェンタ（Ｍ）、シアン（Ｃ）、ブラック（Ｋ）の各色の画像形成ユニット１３Ｙ、１３Ｍ、１３Ｃ、１３Ｋに共通して設けられたＲＯＳ１４に、各色の画像データが順次出力され、このＲＯＳ１４から画像データに応じて出射されたレーザ光ＬＢ−Ｙ、ＬＢ−Ｍ、ＬＢ−Ｃ、ＬＢ−Ｋは、対応する感光体ドラム１５の表面に走査露光され、静電潜像が形成される。上記感光体ドラム１５上に形成された静電潜像は、現像器１７Ｙ、１７Ｍ、１７Ｃ、１７Ｋによって、それぞれイエロー（Ｙ）、マジェンタ（Ｍ）、シアン（Ｃ）、ブラック（Ｋ）の各色のトナー像として現像される。
【００３５】
上記各画像形成ユニット１３Ｙ、１３Ｍ、１３Ｃ、１３Ｋの感光体ドラム１５上に、順次形成されたイエロー（Ｙ）、マジェンタ（Ｍ）、シアン（Ｃ）、ブラック（Ｋ）の各色のトナー像は、各画像形成ユニット１３Ｙ、１３Ｍ、１３Ｃ、１３Ｋの上方にわたって配置された転写ユニット２２の無端状ベルト部材としての中間転写ベルト２５上に、４つの一次転写ロール２６Ｙ、２６Ｍ、２６Ｃ、２６Ｋによって多重に転写される。これらの一次転写ロール２６Ｙ、２６Ｍ、２６Ｃ、２６Ｋは、各画像形成ユニット１３Ｙ、１３Ｍ、１３Ｃ、１３Ｋの感光体ドラム１５に対応した中間転写ベルト２５の裏面側に配設されている。この実施の形態における一次転写ロール２６Ｙ、２６Ｍ、２６Ｃ、２６Ｋの体積抵抗値は、１０5 〜１０8 Ωｃｍに抵抗調整されたものを使用している。そして、一次転写ロール２６Ｙ、２６Ｍ、２６Ｃ、２６Ｋには、転写バイアス電源（図示しない）が接続されており、所定のトナー極性とは逆極性（本実施の形態では正極性）の転写バイアスが所定のタイミングで印加されるようになっている。
【００３６】
また、上記中間転写ベルト２５は、図２に示すように、ドライブロール２７と、テンションロール２４と、バックアップロール２８との間に一定のテンションで掛け回されており、図示しない定速性に優れた専用の駆動モーターによって回転駆動されるドライブロール２７により、矢印方向に所定の速度で循環駆動されるようになっている。上記中間転写ベルト２５は、例えば、チャージアップを起こさないべルト素材（ゴムまたは樹脂）にて構成されている。
【００３７】
上記中間転写ベルト２５上に多重に転写されたイエロー（Ｙ）、マジェンタ（Ｍ）、シアン（Ｃ）、ブラック（Ｋ）の各色のトナー像は、図２に示すように、バックアップロール２８に圧接する二次転写ロール２９によって、記録媒体としての用紙３０上に二次転写され、これらの各色のトナー像が一括して二次転写された用紙３０は、上方に位置する定着装置４０へと搬送される。上記二次転写ロール２９は、バックアップロール２８の側方に圧接しており、鉛直方向下方から上方に搬送される用紙３０上に、各色のトナー像を一括して二次転写するようになっている。
【００３８】
上記用紙３０は、カラー複合機本体１の下部に複数段配設された給紙トレイ３１、３２、３３、３４のいずれかから所定サイズのものが、フィードロール３５及びリタードロール３６等によって一枚ずつ分離された状態で、搬送ロール３７を備えた用紙搬送路３８を介して給紙される。そして、上記給紙トレイ３１、３２、３３、３４のいずれかから給紙された用紙３０は、レジストロール３９で一旦停止され、中間転写ベルト２５上の画像と同期して、当該レジストロール３９によって中間転写ベルト２５の二次転写位置へと再度給紙される。
【００３９】
そして、上記各色のトナー像が転写された用紙３０は、図２に示すように、定着装置４０によって熱及び圧力で定着処理を受けた後、搬送ロール４１によって、画像形成面を下にして記録媒体積載部としてのフェイスダウントレイ４２に排出するための第１の用紙搬送路４３を介して、当該第１の用紙搬送路４３の出口に設けられた排６６６出ロール４４によって、装置本体１の上部に設けられたフェイスダウントレイ４２上に排出される。上記カラー複合機本体１の排出ロール４４が設けられた部分は、用紙３０をフェイスダウントレイ４２上に排出するための記録媒体排出部としての用紙排出部４５を構成している。
【００４０】
なお、上記記録媒体積載部としてのフェイスダウントレイ４２は、画像形成装置本体１の上部にスキャナユニット３を搭載して、前記画像形成装置本体１とスキャナユニット３とで形成される胴体の内部に設けられている。
【００４１】
また、上記の如く画像が形成された用紙３０を、画像形成面を上にして排出する場合には、図２に示すように、画像形成面を上にして第２の排出トレイとしてのファイスアップトレイ４６に排出するための第２の用紙搬送路４７を介して、当該第２の用紙搬送路４７の出口に設けられた排出ロール４８によって、複合機本体１の側部（図中、左側面）に設けられるフェイスアップトレイ４６上に排出されるようになっている。
【００４２】
なお、上記カラー複合機において、フルカラー等の両面コピーをとる場合には、図２に示すように、片面に画像が定着された用紙３０を、排出ロール４４によってフェイスダウントレイ４２上にそのまま排出せずに、図示しない切替ゲートによって搬送方向を切り替えるとともに、排出ロール４４を一旦停止させた後に逆転して、当該排出ロール４４によって両面用の用紙搬送路４９へと搬送する。そして、この両面用の用紙搬送路４９には、当該搬送路４９に沿って設けられた搬送ローラ５０により、用紙３０の表裏が反転された状態で、再度レジストロール３９へと搬送され、今度は、当該用紙３０の裏面に画像が転写・定着された後、第１の用紙搬送路４３又は第２の用紙搬送路４７を介して、フェイスダウントレイ４２又はフェイスアップトレイ４６のいずれかに排出される。
【００４３】
図２中、５１Ｙ、５１Ｍ、５１Ｃ、５１Ｋは、イエロー（Ｙ）、マジェンタ（Ｍ）、シアン（Ｃ）、ブラック（Ｋ）の各色の現像器１７に、所定の色のトナーを供給するトナーカートリッジを、５２は中転写ベルト２５上の転写残トナー等を除去するクリーニング装置をそれぞれ示している。
【００４４】
図３は上記カラー複合機の各画像形成ユニットを示すものである。
【００４５】
上記イエロー色、マジェンタ色、シアン色及びブラック色の４つの画像形成ユニット１３Ｙ、１３Ｍ、１３Ｃ、１３Ｋは、図３に示すように、すべて同様に構成されており、これらの４つの画像形成ユニット１３Ｙ、１３Ｍ、１３Ｃ、１３Ｋでは、上述したように、それぞれイエロー色、マジェンタ色、シアン色及びブラック色のトナー像が所定のタイミングで順次形成されるように構成されている。上記各色の画像形成ユニット１３Ｙ、１３Ｍ、１３Ｃ、１３Ｋは、上述したように、それぞれ感光体ドラム１５を備えており、この感光体ドラム１５の表面は、一次帯電用の帯電ロール１６によって一様に帯電される。その後、上記感光体ドラム１５の表面は、ＲＯＳ１４から画像データに応じて出射される画像形成用のレーザ光ＬＢが走査露光されて、各色に対応した静電潜像が形成される。上記感光体ドラム１５上に走査露光されるレーザ光ＬＢは、当該感光体ドラム１５の直下よりやや右側寄りの斜め下方から露光されるように設定されている。上記感光体ドラム１５上に形成された静電潜像は、各画像形成ユニット１３Ｙ、１３Ｍ、１３Ｃ、１３Ｋの現像器１７の現像ロール１７ａによってそれぞれイエロー色、マジェンタ色、シアン色、ブラック色の各色のトナーにより現像されて可視トナー像となり、これらの可視トナー像は、一次転写ロール２６の帯電によって中間転写ベルト２５上に順次多重に転写される。
【００４６】
なお、トナー像の転写工程が終了した後の感光体ドラム１５の表面は、クリーニング装置１８によって残留トナーや紙粉等が除去されて、次の画像形成プロセスに備える。上記クリーニング装置１８は、クリーニングブレード１８ａを備えており、このクリーニングブレード１８ａによって、感光体ドラム１５上の残留トナーや紙粉等を除去するようになっている。
【００４７】
ところで、この実施の形態では、画像形成装置本体の上部に画像読取装置を搭載して、前記画像形成装置本体と画像読取装置とで形成される胴体の内部に設けられた記録媒体積載部に、画像が形成された記録媒体を記録媒体排出部から排出して積載するように構成した画像形成装置において、前記記録媒体排出部から排出される記録媒体から放出される空気を吸引し、当該吸引された空気をフィルターを通して排気する吸引排気手段を、前記記録媒体排出部から排出される記録媒体排出方向の下流側に設けるように構成されている。
【００４８】
すなわち、上記カラー複合機は、図１に示すように、記録媒体積載部としてのフェイスダウントレイ４２の用紙排出方向の下流側端部に、用紙排出部４５及びフェイスダウントレイ４２の双方から排出される空気を吸引し、当該吸引された空気をフィルターを通して排気する吸引排気手段６０を備えている。この吸引排気手段６０は、例えば、図４及び図５に示すようなスキャナ載置ラック８０の奥側の端部に取り付けられている。上記スキャナ載置ラック８０は、用紙排出部４５及びフェイスダウントレイ４２の双方の上方にわたって配設されている。
【００４９】
上記吸引排気手段６０は、図１に示すように、略円筒形状の短い吸引用のダクト６１を備えており、当該吸引用ダクト６１は、フェイスダウントレイ４２側が相対的に直径が小さく設定され、吸引口６２が開口された小径部６３と、中間のテーパ状に形成された中間部６４と、相対的に直径が大きく設定され、排出口６５が開口された先端の大径部６６とから構成されている。上記吸引用ダクト６１の小径部６３の内部には、排気ファン６７が配設されているとともに、大径部６６の内部には、フィルター６８が配設されている。
【００５０】
また、上記フィルター６８としては、脱臭のためのフィルターと、揮発性有機化合物の吸着または分解のためのフィルターと、オゾンの吸着または分解能力のためのフィルターのうち、少なくとも２つのフィルターから構成されており、この実施の形態では、脱臭のためのフィルターと、揮発性有機化合物の吸着または分解のためのフィルターとから構成されている。
【００５１】
以上の構成において、この実施の形態に係るカラー複合機では、次のようにして、装置の排出部近傍に十分なスペースが確保することが困難な場合であっても、装置の外部に用紙と共に放出される臭気や揮発性有機化合物等を、用紙排出部から離れた個所であっても効果的に除去することが可能となっている。
【００５２】
すなわち、この実施の形態に係るカラー複合機では、図２に示すように、イエロー（Ｙ）、マジェンタ（Ｍ）、シアン（Ｃ）、ブラック（Ｋ）の各画像形成ユニット１３Ｙ、１３Ｍ、１３Ｃ、１３Ｋによって、イエロー（Ｙ）、マジェンタ（Ｍ）、シアン（Ｃ）、ブラック（Ｋ）の各色のトナー像が形成され、これらのイエロー（Ｙ）、マジェンタ（Ｍ）、シアン（Ｃ）、ブラック（Ｋ）色のトナー像は、中間転写ベルト２５上に多重に一次転写された後、当該中間転写ベルト２５から用紙３０上に一括して二次転写される。
【００５３】
そして、上記用紙３０上に一括して転写されたイエロー（Ｙ）、マジェンタ（Ｍ）、シアン（Ｃ）、ブラック（Ｋ）の各色のトナー像は、定着装置４０によって熱及び圧力で転写された後、排出ロール４４によって、用紙排出部４５から複合機本体１の上部に設けられた排紙トレイとしてのフェイスダウントレイ４２上に排出され、画像形成工程が終了する。
【００５４】
その際、上記定着装置４０によってイエロー（Ｙ）、マジェンタ（Ｍ）、シアン（Ｃ）、ブラック（Ｋ）の各色のトナー像を熱及び圧力で用紙３０上に定着する際に、トナー等から異臭や揮発性有機化合物（ＶＣＯ）が発生する。上記トナー等から発生した異臭や揮発性有機化合物（ＶＣＯ）は、図１に示すように、用紙３０が用紙排出部４５から複合機本体１の上部に設けられたフェイスダウントレイ４２上に排出される際に、用紙３０と共に、カラー複合機本体１の外部に排出される。
【００５５】
ところで、この実施の形態では、図１に示すように、フェイスダウントレイ４２の用紙排出方向の下流側端部に、吸引排気手段６０の吸引用ダクト６１が配設されており、この吸引用ダクト６１の小径部６３内に設けられた排気ファン６５が駆動されるようになっている。
【００５６】
なお、この実施の形態では、排気ファン６５が画像形成動作の開始と同期して駆動され、画像形成動作が終了した後も一定時間だけ駆動するように構成されている。
【００５７】
そのため、上記定着装置４０によって未定着トナー像が用紙３０上に定着する際に発生した異臭や揮発性有機化合物は、用紙３０の移動に伴って、用紙排出部４５からカラー複合機本体１の外部に排出されるが、この用紙排出部４５やフェイスダウントレイ４２からカラー複合機本体１の外部に排出された異臭や揮発性有機化合物は、図１及び図５に示すように、直ちに、吸引用ダクト６１の吸気口６２から吸引され、吸引用ダクト６１の大径部６６内に設けられたフィルター６８によって吸引除去された状態で、排気ファン６７によってカラー複合機本体１の外部（右側面）に排出されるようになっている。
【００５８】
このように、上記実施の形態に係るカラー複合機では、フェイスダウントレイ４２の用紙排出方向の下流側端部に、吸引排気手段６０の吸引用ダクト６１が配設されており、この吸引用ダクト６１の小径部６３内に設けられた排気ファン６５を駆動することによって、異臭や揮発性有機化合物は、吸引用ダクト６１の吸気口６２から効率良く吸引されて、フィルター６６によって除去された状態で、排気ファン６５によってカラー複合機本体１の外部に排出することができる。そのため、上記カラー複合機では、カラー複合機本体１の用紙排出部４５近傍に吸引用のダクトを設けるスペースを設けることによって、装置が大型化したりすることがない。また、上記吸引用ダクト６１は、カラー複合機本体１の外部に、当該カラー複合機本体１とは別体として設けられているので、吸引用ダクト６１や排気ファン６７等がカラー複合機本体１内のエアーフローに悪影響を及ぼすことがなく、用紙３０と共にカラー複合機本体１の外部に排出される臭気や揮発性有機化合物を効果的に除去することが可能となっている。
【００５９】
実施の形態２
図６はこの発明の実施の形態２を示すものであり、前記実施の形態１と同一の部分には同一の符号を付して説明すると、この実施の形態２は、前記記録媒体積載部の記録媒体排出部側の側面と、奥側の側面と、記録媒体排出方向の下流側の側面とに、空気の流通を遮断する遮断壁を設けるように構成されている。
【００６０】
すなわち、この実施の形態２に係るカラー複合機は、図６及び図７に示すように、フェイスダウントレイ４２の用紙排出部４５側の側面と、奥側の側面と、用紙排出方向の下流側の側面とに、空気の流通を遮断する遮断壁７１、７２、７３を設けるように構成されている。また、吸引用ダクト６１は、略Ｌ字形状に形成されており、当該吸引用ダクト６１の排気口６５側が、図６に示すように複合機本体１の下向き、あるいは図７に示すように複合機本体１の奥側（リア側）を向くように構成されている。
【００６１】
このように、上記実施の形態２に係るカラー複合機は、図６及び図７に示すように、フェイスダウントレイ４２の用紙排出部４５側の側面と、奥側の側面と、用紙排出方向の下流側の側面とが、遮断壁７１、７２、７３で覆われているので、フェイスダウントレイ４２及び用紙排出部４５から排出される異臭や揮発性有機化合物を効率良く吸引することが可能となっている。
【００６２】
その他の構成及び作用は、前記実施の形態と同様であるので、その説明を省略する。
【００６３】
実施の形態３
図８はこの発明の実施の形態３を示すものであり、前記実施の形態１と同一の部分には同一の符号を付して説明すると、この実施の形態３は、前記吸引排気手段を複合機本体の側面に突出するように設けるのではなく、記録媒体積載部の用紙排出方向の下流側端部の奥側（背面側）に設けるように構成されている。
【００６４】
すなわち、この実施の形態３に係るカラー複合機は、図８及び図９に示すように、吸引排気手段６０がフェイスダウントレイ４２の用紙排出方向の下流側端部の奥側（背面側）に設けられいる。また、上記実施の形態２と同様に、フェイスダウントレイ４２の用紙排出部４５側の側面と、奥側の側面と、用紙排出方向の下流側の側面とに、空気の流通を遮断する遮断壁７１、７２、７３を設けるように構成されている。
【００６５】
また、この実施の形態３では、吸引用ダクト６１の基端部側の大径部６６にフィルター６８が設けられているとともに、先端側の小径部６３に排気ファン６７が設けられており、フィルター６８と排気ファン６７の配置が、実施の形態１と逆の関係になっている。
【００６６】
この実施の形態３では、吸引用ダクト６１が複合機本体１の側面に突出することなく、しかも、フェイスダウントレイ４２及び用紙排出部４５から排出される異臭や揮発性有機化合物を効率良く吸引することが可能となっている。
【００６７】
その他の構成及び作用は、前記実施の形態と同様であるので、その説明を省略する。
【図面の簡単な説明】
【００６８】
【図１】図１はこの発明の実施の形態１に係る画像形成装置としてのカラー複合機を示す要部構成図である。
【図２】図２はこの発明の実施の形態１に係る画像形成装置としてのカラー複合機を示す構成図である。
【図３】図３はこの発明の実施の形態１に係る画像形成装置としてのカラー複合機の画像形成部を示す構成図である。
【図４】図４はスキャナ載置ラックを示す斜視構成図である。
【図５】図５はこの発明の実施の形態１に係る画像形成装置としてのカラー複合機を示す要部平面構成図である。
【図６】図６はこの発明の実施の形態２に係る画像形成装置としてのカラー複合機を示す要部構成図である。
【図７】図７はこの発明の実施の形態２に係る画像形成装置としての他のカラー複合機を示す要部平面構成図である。
【図８】図８はこの発明の実施の形態３に係る画像形成装置としてのカラー複合機を示す要部構成図である。
【図９】図９はこの発明の実施の形態３に係る画像形成装置としてのカラー複合機を示す要部平面構成図である。
【符号の説明】
【００６９】
１：カラー複合機本体、４２：フェイスダウントレイ、４５：用紙排出部、６０：吸引排気手段、６１：吸引用ダクト、６２：吸引口、６７：排気ファン、６８：フィルター、８０：スキャナ載置ラック。
【図１】
0004747801.tif 000002
【図２】
0004747801.tif 000003
【図３】
0004747801.tif 000004
【図４】
0004747801.tif 000005
【図５】
0004747801.tif 000006
【図６】
0004747801.tif 000007
【図７】
0004747801.tif 000008
【図８】
0004747801.tif 000009
【図９】
0004747801.tif 000010